(57)【要約】      （修正有）【課題】首振りの機能を備えることで送風範囲を拡大し、よい散熱効果を達成する手持ち及び据置き両用扇風機を提供する。【解決手段】手持ち及び据置き両用扇風機は、底座１、羽根部２及び回転部３を備え、当該底座１は、ケース１１と、位置決め台１２とを備え、当該底座１と連接する当該羽根部２は、ハンドル部２１と、羽根２２と、制御ユニットと、羽根部の電力供給ユニット２４とを備え、当該底座１と結合される当該回転部３は、回転ユニットと、回転部の制御部３２とを備える。従来の扇風機と同様に手持ちタイプ及び据え置きタイプの二種類の使用方法を備える以外に、さらに回転機能を備えることで、送風範囲が大きくなり、実用性、便利さが高まり、使用者の需要に合うようになる。【選択図】図１
0003220298.tif 000002
【実用新案登録請求の範囲】
【請求項１】
底座、羽根部及び回転部を備え、
当該底座は、内部にある第一収容空間を有し、且つ頂部面に当該第一収容空間と互いに連通する通孔を有するケースと、当該第一収容空間に設けられ、且つ頂部面に当該通孔と対応する凹み部を有する位置決め台とを備え、
当該底座と連接する当該羽根部は、内部に第二収容空間を備えて且つ一端が当該位置決め台の当該凹み部に挿設されるハンドル部と、当該ハンドル部の一端に設けられる羽根と、当該第二収容空間に設けられ、且つ当該羽根を制御する制御ユニットと、当該第二収容空間に設けられ、且つ当該制御ユニットと電気的に連接することで電力を供給するための羽根部の電力供給ユニットとを備え、
当該底座と結合される当該回転部は、当該第一収容空間に設けられ、且つ当該位置決め台の回転と連動するための回転ユニットと、当該回転ユニットを制御するための回転部の制御部とを備えることを特徴とする手持ち及び据置き両用扇風機。
【請求項２】
前記ケースが、上ケース及び当該上ケースに対応する下ケースで組立てられることを特徴とする請求項1に記載の手持ち及び据置き両用扇風機。
【請求項３】
前記ハンドル部が、ハンドル部の前半部及び当該ハンドル部の前半部に対応するハンドル部の後半部で組立てられることを特徴とする請求項1に記載の手持ち及び据置き両用扇風機。
【請求項４】
前記位置決め台の底面の中心にさらに軸孔が設けられ、当該軸孔の一側にさらに位置決め柱状突起が設けられ、
前記回転ユニットは、前記第一収容空間の底面と連接して当該軸孔に対応するための位置決め軸心と、当該第一収容空間の底面と連接して当該位置決め軸心の外縁に位置されて前記位置決め台に対応するためのガスケットと、当該位置決め軸心及び当該ガスケットの一側に位置されるモータ組立と、当該モータ組立で連動するための被動柱状突起を有する被動輪と、当該位置決め台と当該被動輪との間に設けられ、且つ両端に別々に当該位置決め柱状突起及び当該被動柱状突起に対応する孔を有する連接棒とを備えることを特徴とする請求項1に記載の手持ち及び据置き両用扇風機。
【請求項５】
前記モータ組立が、保護ケース、当該保護ケース内に設けられる減速用モータ及び当該保護ケース内に設けられ、且つ当該減速用モータの作動によって前記被動輪の作動を連動するための数個の伝動歯車で組立てられることを特徴とする請求項3に記載の手持ち及び据置き両用扇風機。
【請求項６】
前記制御ユニットは、プリント基板と、当該プリント基板と電気的に連接して前記羽根部の電力供給ユニットの電力供給を制御するための羽根の制御部とを備えることを特徴とする請求項1に記載の手持ち及び据置き両用扇風機。
【請求項７】
前記制御ユニットは、さらに前記プリント基板と電気的に連接して外部電源を連接するための第一充電ボードを備えることを特徴とする請求項6に記載の手持ち及び据置き両用扇風機。
【請求項８】
前記制御ユニットは、さらに前記プリント基板と電気的に連接して外向きに発光する少なくとも一つの発光部品を備えることを特徴とする請求項6に記載の手持ち及び据置き両用扇風機。
【請求項９】
前記位置決め台の前記凹み部にさらに第一コネクタが設けられ、
前記ケースの外側にさらに当該第一コネクタと電気的に連接して外部電源に連接するための第二充電ボードが設けられ、
前記制御ユニットは、前記プリント基板と電気的に連接され、且つ前記ハンドル部の一端に設けられ、当該第一コネクタに対応して連接するための第二コネクタが設けられることを特徴とする請求項1に記載の手持ち及び据置き両用扇風機。
【請求項１０】
前記回転部は、さらに前記回転ユニット及び前記回転部の制御部と電気的に連接される回転部の電力供給ユニットを備えることを特徴とする請求項1に記載の手持ち及び据置き両用扇風機。
【考案の詳細な説明】
【技術分野】
【０００１】
本考案は、手持ち及び据置き両用扇風機に関するものである。
【従来の技術】
【０００２】
世界中の気温が年々増加することで、毎年夏の平均気温はだんだん高くなり、もしこんな暑い夏に室内にいる場合に、空気が流通してないことで、勉強及び仕事する効率が悪くなる。
【０００３】
こんな暑い夏を渡すために、扇風機が不可欠な電気製品であり、家庭用の扇風機で熱気を発散することができますが、大型であるので、携帯することができなくなる。
【０００４】
従って、容易に携帯する小型の手持ちタイプ扇風機が現れ、その構造は羽根及びハンドルを備え、主に電池で作動するようになり、使用者は室外にいる場合に、ハンドルを握って使用できる。
【０００５】
従来の手持ちタイプ扇風機は手持ちで使用する機能だけがあるので、よく底座と共に販売され、手持ちタイプ扇風機を底座に設置されることで小型の据え置きタイプ扇風機として使われることができるが、普通の家庭用扇風機と違い、首振りの機能を備えないので、単一の方向だけに送風することで、送風範囲はちいさい、散熱効果が良くなくなる。
【考案の概要】
【考案が解決しようとする課題】
【０００６】
そこで、上記の問題点に対して、手持ち及び据置き両用扇風機を提供することが本考案の課題となる。
【課題を解決するための手段】
【０００７】
本考案の目的は、首振りの機能を備えることで送風範囲を拡大し、よい散熱効果を達成する手持ち及び据置き両用扇風機を提供することである。
【０００８】
前記問題点を解決でき、上記目的を達成するために、底座、羽根部及び回転部を備え、当該底座は、内部にある第一収容空間を有し、且つ頂部面に当該第一収容空間と互いに連通する通孔を有するケースと、当該第一収容空間に設けられ、且つ頂部面に当該通孔と対応する凹み部を有する位置決め台とを備え、当該底座と連接する当該羽根部は、内部に第二収容空間を備えて且つ一端が当該位置決め台の当該凹み部に挿設されるハンドル部と、当該ハンドル部の一端に設けられる羽根と、当該第二収容空間に設けられ、且つ当該羽根を制御する制御ユニットと、当該第二収容空間に設けられ、且つ当該制御ユニットと電気的に連接することで電力を供給するための羽根部の電力供給ユニットとを備え、当該底座と結合される当該回転部は、当該第一収容空間に設けられ、且つ当該位置決め台の回転と連動するための回転ユニットと、当該回転ユニットを制御するための回転部の制御部とを備える。
【０００９】
前記ケースが、上ケース及び当該上ケースに対応する下ケースで組立てられることが好ましい。
【００１０】
前記ハンドル部が、ハンドル部の前半部及び当該ハンドル部の前半部に対応するハンドル部の後半部で組立てられることが好ましい。
【００１１】
前記位置決め台の底面の中心にさらに軸孔が設けられ、当該軸孔の一側にさらに位置決め柱状突起が設けられ、前記回転ユニットは、前記第一収容空間の底面と連接して当該軸孔に対応するための位置決め軸心と、当該第一収容空間の底面と連接して当該位置決め軸心の外縁に位置されて前記位置決め台に対応するためのガスケットと、当該位置決め軸心及び当該ガスケットの一側に位置されるモータ組立と、当該モータ組立で連動するための被動柱状突起を有する被動輪と、当該位置決め台と当該被動輪との間に設けられ、且つ両端に別々に当該位置決め柱状突起及び当該被動柱状突起に対応する孔を有する連接棒とを備えることが好ましい。
【００１２】
前記モータ組立が、保護ケース、当該保護ケース内に設けられる減速用モータ及び当該保護ケース内に設けられ、且つ当該減速用モータの作動によって前記被動輪の作動を連動するための数個の伝動歯車で組立てられることが好ましい。
【００１３】
前記制御ユニットは、プリント基板と、当該プリント基板と電気的に連接して前記羽根部の電力供給ユニットの電力供給を制御するための羽根の制御部とを備えることが好ましい。
【００１４】
前記制御ユニットは、さらに前記プリント基板と電気的に連接して外部電源を連接するための第一充電ボードを備えることが好ましい。
【００１５】
前記制御ユニットは、さらに前記プリント基板と電気的に連接して外向きに発光する少なくとも一つの発光部品を備えることが好ましい。
【００１６】
前記位置決め台の前記凹み部にさらに第一コネクタが設けられ、前記ケースの外側にさらに当該第一コネクタと電気的に連接して外部電源に連接するための第二充電ボードが設けられ、前記制御ユニットは、前記プリント基板と電気的に連接され、且つ前記ハンドル部の一端に設けられ、当該第一コネクタに対応して連接するための第二コネクタが設けられることが好ましい。
【００１７】
前記回転部は、さらに前記回転ユニット及び前記回転部の制御部と電気的に連接される回転部の電力供給ユニットを備えることが好ましい。
【００１８】
本考案は、従来の技術と比べて、次に列挙する効果がある。
【００１９】
1.本考案の手持ち及び据置き両用扇風機は、底座と羽根部との組み合わせにより、従来の扇風機と同様に手持ち及び据置きの機能を備え、且つ回転部を有し、回転部が底座内に設けられることで、羽根部が通孔を通じて位置決め台の凹み部に穿設される場合に、回転部が通電すると羽根部が連動して回転するようになり、送風範囲が大きくなり、実用性、便利さが高まり、使用者の需要に合うようになる。
【図面の簡単な説明】
【００２０】
【図１】：本考案を示す斜視図
【図２】：本考案の別の視角を示す斜視図
【図３】：本考案の図2の底座及び回転部を示す斜視分解図
【図４】：本考案の図2の羽根部を示す斜視分解図
【図５】：本考案の羽根部が回転する実施状態を示す図
【考案を実施するための形態】
【００２１】
以下、本考案の実施の形態について、図面を参照して詳細に説明する。
【００２２】
図1乃至図4に示すように、本考案の手持ち及び据置き両用扇風機は、底座1、羽根部2及び回転部3を備え、当該底座1は、内部にある第一収容空間10を有し、且つ頂部面に当該第一収容空間10と互いに連通する通孔111を有するケース11と、当該第一収容空間10に設けられ、且つ頂部面に当該通孔111と対応する凹み部121を有する位置決め台12とを備え、当該底座1と連接する当該羽根部2は、内部に第二収容空間20を備えて且つ一端が当該位置決め台12に対応するハンドル部21と、当該ハンドル部21の一端に設けられる羽根22と、当該第二収容空間20に設けられ、且つ当該羽根22を制御する制御ユニット23と、当該第二収容空間20に設けられ、且つ当該制御ユニット23と電気的に連接することで電力を供給するための羽根部の電力供給ユニット24とを備え、当該底座1と結合される当該回転部3は、当該第一収容空間10に設けられ、且つ当該位置決め台12の回転と連動するための回転ユニット31と、当該回転ユニット31を制御するための回転部の制御部32とを備える。
【００２３】
前記底座1、前記羽根部2及び前記回転部3で組立てられる手持ち及び据置き両用扇風機の一部の機能は従来の扇風機と同じく、当該羽根部2の前記ハンドル部21で掴まって使用する手持ちタイプ、及び当該羽根部2の当該ハンドル部21の一端が当該底座1の当該通孔111によって前記位置決め台12の前記凹み部121に挿し入れられるという当該底座1と当該羽根部2との組み合わせである据置きタイプの二種類の使い方がある。
【００２４】
前述した手持ち及び据置きの二種類の使い方以外に、本考案の前記底座1の前記第一収容空間10に前記回転部3が設けられることで、前記底座1及び前記羽根部2の組合せで、図5に示すように、前記回転部の制御部32が起動される場合に、当該羽根部2が回転できるようになり、逆に当該回転部の制御部32が止まる場合に、当該羽根部2の回転も止まるようになり、普通の家庭用扇風機と同様に、首振りの機能があることで、広い送風範囲があるようになる。
【００２５】
前記ケース11が、上ケース112及び当該上ケース112に対応する下ケース113で組立てられる。
【００２６】
前記ケース11は、図3に示すように、前記上ケース112及び前記下ケース113を備え、従って生産すること及び組み立てることが容易になり、使用中のトラブルの発生が減少できる。
【００２７】
前記ハンドル部21が、ハンドル部の前半部211及び当該ハンドル部の前半部211に対応するハンドル部の後半部212で組立てられる。
【００２８】
前記ハンドル部21は、図4に示すように、前記ハンドル部の前半部211及び前記ハンドル部の後半部212を備え、こういうデザインによって生産すること及び組み立てることが容易になり、使用中のトラブルの発生が減少できる。
【００２９】
前記位置決め台12の底面の中心にさらに軸孔122が設けられ、当該軸孔122の一側にさらに位置決め柱状突起123が設けられ、前記回転ユニット31は、前記第一収容空間10の底面と連接して当該軸孔122に対応するための位置決め軸心311と、当該第一収容空間10の底面と連接して当該位置決め軸心311の外縁に位置されて前記位置決め台12に対応するためのガスケット312と、当該位置決め軸心311及び当該ガスケット312の一側に位置されるモータ組立313と、当該モータ組立313で連動するための被動柱状突起3141を有する被動輪314と、当該位置決め台12と当該被動輪314との間に設けられ、且つ両端に別々に当該位置決め柱状突起123及び当該被動柱状突起3141に対応する孔3151を有する連接棒315とを備える。
【００３０】
前記羽根部2の回転は、前記回転部3内の前記回転ユニット31で前記底座1の前記位置決め台12が回転されることで実現され、当該回転ユニット31の組み立ては、図3に示すように、前記位置決め軸心311と、前記ガスケット312と、前記モータ組立313と、前記被動輪314と、前記連接棒315と、当該位置決め台12との組み合わせることとを備える。
【００３１】
前記回転ユニット31について、前記位置決め軸心311が前記位置決め台12の前記軸孔122に穿設されることで、当該位置決め台12が回転できるようになり、前記ガスケット312の外見はＣ字型であり、且つ当該ガスケット312が取り付けられることで、当該位置決め台12の高さが前記連接棒315の高さと同じようにされ、当該連接棒315が容易に当該ガスケット312の内側に設置されるようになり、当該連接棒315の一端にある前記孔3151が当該位置決め台12の底部にある前記位置決め柱状突起123と配合して連接され、前記モータ組立313が前記被動輪314と配合され、当該被動輪314の前記被動柱状突起3141が当該連接棒315の他の一端と配合して連接され、上述したことは本考案の回転構造の組み立てである。
【００３２】
前記モータ組立313が、保護ケース3131、当該保護ケース3131内に設けられる減速用モータ3132及び当該保護ケース3131内に設けられ、且つ当該減速用モータ3132の作動によって前記被動輪314の作動を連動するための数個の伝動歯車3133で組立てられる。
【００３３】
前記保護ケース3131、前記減速用モータ3132及び前記伝動歯車3133で組立てられる前記モータ組立313が、回転部の制御部32のスイッチを入れた場合に、前記位置決め台12の回転速度が緩められることで、前記羽根部2が作動する場合に、空気流動の効果が上昇するようになる。
【００３４】
前記制御ユニット23は、プリント基板231と、当該プリント基板231と電気的に連接して前記羽根部の電力供給ユニット24の電力供給を制御するための羽根の制御部232とを備える。
【００３５】
前記プリント基板231及び前記羽根の制御部232により、前記羽根22の作動を制御することができ、且つ当該プリント基板231で当該羽根22の回転速度を制御することができ、良い散熱効果が達成される。
【００３６】
前記制御ユニット23は、さらに前記プリント基板231と電気的に連接して外部電源を連接するための第一充電ボード233を備える。
【００３７】
前記第一充電ボード233により、前記羽根部の電力供給ユニット24に電力を供給することで、前記羽根22の作動が達成される。
【００３８】
前記制御ユニット23は、さらに前記プリント基板231と電気的に連接して外向きに発光する少なくとも一つの発光部品234を備える。
【００３９】
前記発光部品234により、前記羽根22が作動する同時に発光し、充電する時にも提示用の光源として使われるようになる。
【００４０】
前記位置決め台12の前記凹み部121にさらに第一コネクタ13が設けられ、
前記ケース11の外側にさらに当該第一コネクタ13と電気的に連接して外部電源に連接するための第二充電ボード14が設けられ、前記制御ユニット23は、前記プリント基板231と電気的に連接され、且つ前記ハンドル部21の一端に設けられ、当該第一コネクタ13に対応して連接するための第二コネクタ235が設けられる。
【００４１】
前記羽根部2は前記第一充電ボード233で外部電源を連接して充電することができ、前記底座1も充電用の構造を備え、それは前記凹み部121に前記第一コネクタ13が設けられ、前記ケース11の外側にさらに当該第一コネクタ13と電気的に連接する第二充電ボード14が設けられ、当該羽根部2の前記ハンドル部21の一端に前記第二コネクタ235が設けられ、当該羽根部2が当該凹み部121に挿し入れられ、当該第一コネクタ13と電気的に連接され、当該第二充電ボード14が外部電源に連接されることで、充電できるようになることである。
【００４２】
前記底座1及び前記羽根部2の様式は、図面に示す様式だけではなく、円形、多辺形などの様々な様式でもあるので、本考案は多様な造形及び外見を備え、図面に示すものに制限されない。
【００４３】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００４４】
1    底座        
11   ケース    
111  通孔        
112  上ケース        
113  下ケース        
12   位置決め台    
121  凹み部    
122  軸孔        
123  位置決め柱状突起        
13   第一コネクタ        
14   第二充電ボード    
2    羽根部    
21   ハンドル部    
211  ハンドル部の前半部    
212  ハンドル部の後半部    
22   羽根        
23   制御ユニット        
231  プリント基板        
232  羽根部の制御部    
233  第一充電ボード    
234  発光部品        
235  第二コネクタ        
24   羽根部の電力供給ユニット        
3    回転部    
31   回転ユニット        
311  位置決め軸心        
312  ガスケット    
313  モータ組立    
3131 保護ケース        
3132 減速用モータ    
3133 伝動歯車    
314  被動輪    
3141 被動柱状突起    
315  連接棒    
3151 孔        
32   回転部の制御部    
33   回転部の電力供給ユニット        
10   第一収容空間        
20   第二収容空間        
【図１】
0003220298.tif 000003
【図２】
0003220298.tif 000004
【図３】
0003220298.tif 000005
【図４】
0003220298.tif 000006
【図５】
0003220298.tif 000007
【手続補正書】
【提出日】平成30年12月21日(2018.12.21)
【手続補正１】
【補正対象書類名】実用新案登録請求の範囲
【補正対象項目名】全文
【補正方法】変更
【補正の内容】
【実用新案登録請求の範囲】
【請求項１】
底座、羽根部及び回転部を備え、
当該底座は、内部にある第一収容空間を有し、且つ頂部面に当該第一収容空間と互いに連通する通孔を有するケースと、当該第一収容空間に設けられ、且つ頂部面に当該通孔と対応する凹み部を有する位置決め台とを備え、
当該底座と連接する当該羽根部は、内部に第二収容空間を備えて且つ一端が当該位置決め台の当該凹み部に挿設されるハンドル部と、当該ハンドル部の一端に設けられる羽根と、当該第二収容空間に設けられ、且つ当該羽根を制御する制御ユニットと、当該第二収容空間に設けられ、且つ当該制御ユニットと電気的に連接することで電力を供給するための羽根部の電力供給ユニットとを備え、
当該底座と結合される当該回転部は、当該第一収容空間に設けられ、且つ当該位置決め台の回転と連動するための回転ユニットと、当該回転ユニットを制御するための回転部の制御部とを備えることを特徴とする手持ち及び据置き両用扇風機。
【請求項２】
前記ケースが、上ケース及び当該上ケースに対応する下ケースで組立てられることを特徴とする請求項1に記載の手持ち及び据置き両用扇風機。
【請求項３】
前記ハンドル部が、ハンドル部の前半部及び当該ハンドル部の前半部に対応するハンドル部の後半部で組立てられることを特徴とする請求項1に記載の手持ち及び据置き両用扇風機。
【請求項４】
前記位置決め台の底面の中心にさらに軸孔が設けられ、当該軸孔の一側にさらに位置決め柱状突起が設けられ、
前記回転ユニットは、前記第一収容空間の底面と連接して当該軸孔に対応するための位置決め軸心と、当該第一収容空間の底面と連接して当該位置決め軸心の外縁に位置されて前記位置決め台に対応するためのガスケットと、当該位置決め軸心及び当該ガスケットの一側に位置されるモータ組立と、当該モータ組立で連動するための被動柱状突起を有する被動輪と、当該位置決め台と当該被動輪との間に設けられ、且つ両端に別々に当該位置決め柱状突起及び当該被動柱状突起に対応する孔を有する連接棒とを備えることを特徴とする請求項1に記載の手持ち及び据置き両用扇風機。
【請求項５】
前記モータ組立が、保護ケース、当該保護ケース内に設けられる減速用モータ及び当該保護ケース内に設けられ、且つ当該減速用モータの作動によって前記被動輪の作動を連動するための数個の伝動歯車で組立てられることを特徴とする請求項4に記載の手持ち及び据置き両用扇風機。
【請求項６】
前記制御ユニットは、プリント基板と、当該プリント基板と電気的に連接して前記羽根部の電力供給ユニットの電力供給を制御するための羽根の制御部とを備えることを特徴とする請求項1に記載の手持ち及び据置き両用扇風機。
【請求項７】
前記制御ユニットは、さらに前記プリント基板と電気的に連接して外部電源を連接するための第一充電ボードを備えることを特徴とする請求項6に記載の手持ち及び据置き両用扇風機。
【請求項８】
前記制御ユニットは、さらに前記プリント基板と電気的に連接して外向きに発光する少なくとも一つの発光部品を備えることを特徴とする請求項6に記載の手持ち及び据置き両用扇風機。
【請求項９】
前記位置決め台の前記凹み部にさらに第一コネクタが設けられ、
前記ケースの外側にさらに当該第一コネクタと電気的に連接して外部電源に連接するための第二充電ボードが設けられ、
前記制御ユニットは、前記プリント基板と電気的に連接され、且つ前記ハンドル部の一端に設けられ、当該第一コネクタに対応して連接するための第二コネクタが設けられることを特徴とする請求項6乃至8のいずれかに記載の手持ち及び据置き両用扇風機。
【請求項１０】
前記回転部は、さらに前記回転ユニット及び前記回転部の制御部と電気的に連接される回転部の電力供給ユニットを備えることを特徴とする請求項1に記載の手持ち及び据置き両用扇風機。